(57)【特許請求の範囲】
【請求項１】
画像信号を入力する入力手段と、
メモリと、
前記入力手段により入力された画像信号を符号化し、符号化された前記画像信号を前記メモリに記憶する符号化手段と、
前記メモリから前記符号化された画像信号を読み出し、前記読み出した画像信号をファイルシステムに従って記録媒体に記録すると共に、前記記録媒体から前記符号化された画像信号を再生し、前記再生した画像信号を前記メモリに記憶するアクセス手段と、
前記メモリから前記符号化された画像信号を読み出し、前記読み出した画像信号を復号する復号手段と、
外部機器と接続する接続手段と、
前記アクセス手段が画像信号を記録する記録モード、前記アクセス手段が画像信号を再生する再生モード、及び、前記外部機器が前記接続手段を介して前記記録媒体にアクセスする外部接続モードを含む複数のモードの何れかを指示する指示手段と、
前記指示手段により指示されたモードに応じて前記メモリの設定を変更する手段であって、前記記録モードと前記再生モードとにおいては、前記メモリにおける所定の記憶領域を前記符号化された画像信号のための記憶領域として設定し、前記外部接続モードにおいては、前記メモリにおける前記所定の領域を前記ファイルシステムの管理情報のための記憶領域として設定する制御手段
とを備え、
前記制御手段は、前記記録モードにおいて、前記符号化手段が前記所定の記憶領域に前記符号化された画像信号を記憶するように制御し、前記再生モードにおいて、前記アクセス手段が前記所定の記憶領域に前記記録媒体から再生した画像信号を記憶するように制御し、前記外部接続モードにおいて、前記アクセス手段が前記記録媒体から再生した前記管理情報を前記メモリにおける前記所定の記憶領域に記憶するように制御して、前記外部機器から前記管理情報の要求があった場合は前記メモリにおける前記所定の記憶領域より前記管理情報を読み出して前記接続手段により前記外部機器に送信する
ことを特徴とする記録再生装置。
【請求項２】
前記外部接続モードにおいて、前記制御手段は、前記外部機器から画像信号の要求があった場合は前記アクセス手段により前記記録媒体から画像信号を再生して前記接続手段により前記外部機器に送信することを特徴とする請求項１に記載の記録再生装置。
【請求項３】
画像信号を入力する入力手段と、
メモリと、
前記入力手段により入力された画像信号を符号化し、符号化された前記画像信号を前記メモリに記憶する符号化手段と、
前記メモリから前記符号化された画像信号を読み出し、前記読み出した画像信号をファイルシステムに従って記録媒体に記録するアクセス手段と、
外部機器と接続する接続手段と、
前記アクセス手段が画像信号を記録する記録モードと前記外部機器が前記接続手段を介して前記記録媒体にアクセスする外部接続モードを含む複数のモードの何れかを指示する指示手段と、
前記指示手段により指示されたモードに応じて前記メモリの設定を変更する手段であって、前記記録モードにおいては、前記メモリにおける所定の記憶領域を前記符号化された画像信号のための記憶領域として設定し、前記外部接続モードにおいては、前記メモリにおける前記所定の領域を前記ファイルシステムの管理情報のための記憶領域として設定する制御手段
とを備え、
前記制御手段は、前記記録モードにおいて、前記符号化手段が前記符号化された画像信号を前記メモリにおける前記所定の記憶領域に記憶するように制御し、前記外部接続モードにおいて、前記アクセス手段が前記記録媒体から再生した前記管理情報を前記所定の記憶領域に記憶するように制御して、前記外部機器から前記管理情報の要求があった場合は前記メモリにおける前記所定の記憶領域より前記管理情報を読み出して前記接続手段により前記外部機器に送信する
ことを特徴とする記録装置。
【請求項４】
メモリと、
符号化された画像信号をファイルシステムに従って記録媒体から再生し、前記再生した画像信号を前記メモリに記憶するアクセス手段と、
前記メモリから前記符号化された画像信号を読み出し、前記読み出した画像信号を復号する復号手段と、
外部機器と接続する接続手段と、
前記アクセス手段が画像信号を再生する再生モードと前記外部機器が前記接続手段を介して前記記録媒体にアクセスする外部接続モードを含む複数のモードの何れかを指示する指示手段と、
前記指示手段により指示されたモードに応じて前記メモリの設定を変更する手段であって、前記再生モードにおいては、前記メモリにおける所定の記憶領域を前記符号化された画像信号のための記憶領域として設定し、前記外部接続モードにおいては、前記メモリにおける前記所定の領域を前記ファイルシステムの管理情報のための記憶領域として設定する制御手段
とを備え、
前記制御手段は、前記再生モードにおいて、前記アクセス手段が前記記録媒体から再生された画像信号を前記メモリにおける前記所定の記憶領域に記憶するように制御し、前記外部接続モードにおいて、前記アクセス手段が前記記録媒体から再生した前記管理情報を前記メモリにおける前記所定の記憶領域に記憶するように制御して、前記外部機器から前記管理情報の要求があった場合は前記メモリにおける前記所定の記憶領域より前記管理情報を読み出して前記接続手段により前記外部機器に送信する
ことを特徴とする再生装置。
【発明の詳細な説明】
【技術分野】
【０００１】
本発明は、記録再生装置、記録装置及び再生装置に関し、より具体的には、画像情報の記録媒体への記録機能と、記録された画像情報を外部に出力する機能を具備する記録再生装置、記録装置及び再生装置に関する。
【背景技術】
【０００２】
近年、光ディスク等の情報記録媒体を用いて画像を記録再生するビデオカメラなどの記録再生装置が登場している。これらの記録再生装置の多くは、ＵＳＢ又はＩＥＥＥ１３９４等のデジタルインターフェースからなる外部機器接続手段を具備する。例えば、パーソナルコンピュータ等の外部機器にビデオカメラを接続し、情報記録媒体に記録されるデータを外部機器に転送することが可能である。
【０００３】
光ディスクやハードディスク装置等のディスク状記録媒体からデータを読み出したり、データを書き込み際には、光ピックアップ又は磁気ヘッド等のピックアップを希望のトラックに位置決めする動作、いわゆるシーク動作が必要になる。このような機械的な可動部分の動作制御は、アクセス速度を遅くする障害となっている。例えば、光ディスク上の目的のトラックを探し出すシーク動作は、数１０ミリ秒程度かかる。
【０００４】
通常、ディスク状記録媒体とする記録再生装置にコンピュータを接続した場合、コンピュータと記録再生装置との間でのコマンド及びデータの転送に要する時間に比べて、ディスク状記録媒体からデータを読み出すのに要する時間が長い。、そのため、データ読み出しの間、コンピュータは待たされることになる。
【０００５】
特許文献１には、情報再生装置において、先読みバッファを用いて、ディスク状記録媒体からのデータ読み出し処理時間を実質的に短縮することが記載されている。外部機器から読み出しを要求されたデータがその先読みバッファに存在する場合、即ちヒットする場合には、先読みバッファから直ちに希望のデータを読み出して外部機器に転送すれば良い。外部機器がデータ読出しコマンドを発行してから、希望のデータを取得するまでの時間が短縮され、見掛け上、記録再生装置の応答速度が速くなる。
【特許文献１】特開２００１−１７６２４７号公報
【発明の開示】
【発明が解決しようとする課題】
【０００６】
特許文献１に記載の技術では、読み出し要求を受けてセクタ番地に後続するセクタ番地のデータを無条件に先読みバッファに先読みする。従って、関連するデータがセクタ番号順に連続して配置されている場合には、有効である。しかし、データが不連続の複数のセクタ、特に半径位置の異なる複数のセクタに分散記録されている場合、ヒット率が著しく低下し、先読みの機能を活かせない。これは、外部機器から見ると、データ読み出しに長い時間がかかることを意味する。
【０００７】
例えば、書き替え可能な光ディスクに採用されるファイルシステムＵＤＦ（Universal Disc Format）では、仮想アロケーションテーブル（ＶＡＴ：Virtual Allocation Table）が採用される。このファイルシステムでは、ファイル管理情報を読み出すために、先ず光ディスクからＶＡＴを読み出す必要があり、多くのシーク動作が発生する。必然的に、先読みバッファのヒット率は、著しく低下する。
【０００８】
本発明は、このような問題点に鑑み、外部機器への応答速度を高速化した記録再生装置、記録装置及び再生装を提示することを目的とする。
【課題を解決するための手段】
【０００９】
本発明に係る記録再生装置は、画像信号を入力する入力手段と、メモリと、前記入力手段により入力された画像信号を符号化し、符号化された前記画像信号を前記メモリに記憶する符号化手段と、前記メモリから前記符号化された画像信号を読み出し、前記読み出した画像信号をファイルシステムに従って記録媒体に記録すると共に、前記記録媒体から前記符号化された画像信号を再生し、前記再生した画像信号を前記メモリに記憶するアクセス手段と、前記メモリから前記符号化された画像信号を読み出し、前記読み出した画像信号を復号する復号手段と、外部機器と接続する接続手段と、前記アクセス手段が画像信号を記録する記録モード、前記アクセス手段が画像信号を再生する再生モード、及び、前記外部機器が前記接続手段を介して前記記録媒体にアクセスする外部接続モードを含む複数のモードの何れかを指示する指示手段と、前記指示手段により指示されたモードに応じて前記メモリの設定を変更する手段であって、前記記録モードと前記再生モードとにおいては、前記メモリにおける所定の記憶領域を前記符号化された画像信号のための記憶領域として設定し、前記外部接続モードにおいては、前記メモリにおける前記所定の領域を前記ファイルシステムの管理情報のための記憶領域として設定する制御手段とを備え、前記制御手段は、前記記録モードにおいて、前記符号化手段が前記所定の記憶領域に前記符号化された画像信号を記憶するように制御し、前記再生モードにおいて、前記アクセス手段が前記所定の記憶領域に前記記録媒体から再生した画像信号を記憶するように制御し、前記外部接続モードにおいて、前記アクセス手段が前記記録媒体から再生した前記管理情報を前記メモリにおける前記所定の記憶領域に記憶するように制御して、前記外部機器から前記管理情報の要求があった場合は前記メモリにおける前記所定の記憶領域より前記管理情報を読み出して前記接続手段により前記外部機器に送信することを特徴とする。
本発明に係る記録装置は、画像信号を入力する入力手段と、メモリと、前記入力手段により入力された画像信号を符号化し、符号化された前記画像信号を前記メモリに記憶する符号化手段と、前記メモリから前記符号化された画像信号を読み出し、前記読み出した画像信号をファイルシステムに従って記録媒体に記録するアクセス手段と、外部機器と接続する接続手段と、前記アクセス手段が画像信号を記録する記録モードと前記外部機器が前記接続手段を介して前記記録媒体にアクセスする外部接続モードを含む複数のモードの何れかを指示する指示手段と、前記指示手段により指示されたモードに応じて前記メモリの設定を変更する手段であって、前記記録モードにおいては、前記メモリにおける所定の記憶領域を前記符号化された画像信号のための記憶領域として設定し、前記外部接続モードにおいては、前記メモリにおける前記所定の領域を前記ファイルシステムの管理情報のための記憶領域として設定する制御手段とを備え、前記制御手段は、前記記録モードにおいて、前記符号化手段が前記符号化された画像信号を前記メモリにおける前記所定の記憶領域に記憶するように制御し、前記外部接続モードにおいて、前記アクセス手段が前記記録媒体から再生した前記管理情報を前記所定の記憶領域に記憶するように制御して、前記外部機器から前記管理情報の要求があった場合は前記メモリにおける前記所定の記憶領域より前記管理情報を読み出して前記接続手段により前記外部機器に送信することを特徴とする。
本発明に係る再生装置は、メモリと、符号化された画像信号をファイルシステムに従って記録媒体から再生し、前記再生した画像信号を前記メモリに記憶するアクセス手段と、前記メモリから前記符号化された画像信号を読み出し、前記読み出した画像信号を復号する復号手段と、外部機器と接続する接続手段と、前記アクセス手段が画像信号を再生する再生モードと前記外部機器が前記接続手段を介して前記記録媒体にアクセスする外部接続モードを含む複数のモードの何れかを指示する指示手段と、前記指示手段により指示されたモードに応じて前記メモリの設定を変更する手段であって、前記再生モードにおいては、前記メモリにおける所定の記憶領域を前記符号化された画像信号のための記憶領域として設定し、前記外部接続モードにおいては、前記メモリにおける前記所定の領域を前記ファイルシステムの管理情報のための記憶領域として設定する制御手段とを備え、前記制御手段は、前記再生モードにおいて、前記アクセス手段が前記記録媒体から再生された画像信号を前記メモリにおける前記所定の記憶領域に記憶するように制御し、前記外部接続モードにおいて、前記アクセス手段が前記記録媒体から再生した前記管理情報を前記メモリにおける前記所定の記憶領域に記憶するように制御して、前記外部機器から前記管理情報の要求があった場合は前記メモリにおける前記所定の記憶領域より前記管理情報を読み出して前記接続手段により前記外部機器に送信することを特徴とする。
【発明の効果】
【００１０】
本発明によれば、記録媒体のファイルシステム管理情報をメモリに先読みしておくことで、外部機器に対する応答を高速化できる。そのためのメモリとして、画像の符号化及び復号化に使用するメモリを流用するので、追加のハードウエア無しに安価に実現できる。
【発明を実施するための最良の形態】
【００１１】
以下、図面を参照して、本発明の実施例を詳細に説明する。
【実施例１】
【００１２】
図１は、本発明に係る記録再生装置の第１実施例であるビデオカメラの概略構成ブロック図を示す。
【００１３】
ビデオカメラ１０は、画像入力手段として、被写体の光学像を画像信号に変換する撮像部１２を具備する。カメラ信号処理装置１４は、撮像部１２からの画像信号を所定形式の映像データに変換する。符号化処理装置１６は、カメラ信号処理装置１４からの映像データをＭＰＥＧ２方式等で圧縮符号化し、符号化画像情報を含む一定形式のストリームデータを生成する。記録媒体アクセス手段であるディスクアクセス装置１８は、ＡＴＡＰＩに従うコマンドに応じて、記録媒体２０へのデータ書き込みと読み出しを行う。ＬＣＤ制御装置２２は、液晶表示装置（ＬＣＤ）２４を駆動して、画像を表示させる。復号化処理装置２６は、記録媒体２０に記録される圧縮映像データを復号化する。映像出力端子２８は、記録中の映像信号及び再生中の映像データを外部に出力可能である。
【００１４】
ＣＰＵ３０はＲＯＭ３２に記憶されるプログラムに従い、ＲＡＭ３４を主メモリとして使用して、全体を制御する。ＲＡＭ３４は、一時データを記憶する記憶領域としても使用される。メモリ３６は、符号化処理装置１６の符号化処理及び復号化処理装置２６による復号化処理のためのフレームメモリ又はワークメモリとして使用される。メモリ３６はまた、記録媒体２０に記録すべきデータを一時的に記憶するバッファ用として、また、記録媒体２０から読み出されたデータを一時的に記憶するバッファ用としても利用され得る。メモリ制御装置３８は、メモリ３６へのアクセスを制御する。
【００１５】
外部接続インターフェース（ＩＦ）４０は、例えば、ＵＳＢ等のデジタルインターフェースからなり、コンピュータ５０等の外部機器との間でデジタルデータ及び制御コマンド等を送受信できる。詳細は後述するが、本実施例では、メモリ３６は更に、外部接続ＩＦ４０を介してコンピュータ５０に画像情報を転送する際にも利用される。
【００１６】
操作部４２は、種々の操作キー、操作スイッチ、操作ダイヤル等からなり、ユーザが、ＣＰＵ３０に種々の指示及び設定を入力するのに使用される。バス４４には、ＣＰＵ３０を含む上述の機能要素が接続し、ＣＰＵ３０は、バス４４を介して上述の機能要素を制御する。バス４４は、制御コマンドとその応答、及び種々のデータの転送に使用される。ＣＰＵ３０は例えば、ＡＴＡＰＩ（AT Attachment Packet Interface）に従うコマンドによりディスクアクセス装置１８を制御する。外部接続ＩＦ４０に接続するコンピュータ５０もまた、ＡＴＡＰＩコマンドを使って、ディスクアクセス装置１８を介して記録媒体２０にデータを読み書きできる。
【００１７】
例えば、外部接続ＩＦがＵＳＢである場合、コンピュータ５０は、ＵＳＢ規格で接続するビデオカメラ１０をマスストレージとして認識する。ＵＳＢプロトコルのマスストレージクラスのサブクラスには、ＡＴＡＰＩコマンドが含まれ、コンピュータ５０は、ＡＴＡＰＩコマンドを使って、ビデオカメラ１０の記録媒体２０にアクセスできる。ビデオカメラ１０がコンピュータ５０に接続すると、コンピュータ５０は先ず、記録媒体２０のＵＤＦ管理領域を読み込もうとする。本実施例では、このＵＤＦ管理領域の読み込みに関して、以下の構成を採用することで、高速化を実現している。勿論、データ領域のデータの読み込みの高速化にも寄与する。
【００１８】
本実施例の基本的な動作を説明する。ビデオカメラ１０は、記録モード、再生モード及び外部接続モードの動作モードを具備し、何れの動作モードでもメモリ３６を利用する。操作部４２により、所望の動作モードに切り替えることができる。
【００１９】
図２を参照して、記録モードの基本動作を説明する。図２は、記録モードにおけるメモリ３６のメモリマップとデータの流れを示す。メモリ制御装置３８は、メモリ３６の記憶領域をビデオフレーム領域（ＶＦＲ領域）６０と、ストリーム領域６２と、ＥＣＣ領域６４に分割する。ＶＦＲ領域６０には、映像データをフレーム単位で１又は複数フレームだけ格納可能である。
【００２０】
撮像部１２は、被写体の光学像を画像信号に変換し、カメラ信号処理装置１４に出力する。カメラ信号処理装置１４は、撮像部１２からの画像信号を所定形式の映像データに変換する。カメラ信号処理装置１４で生成される映像データは、メモリ制御装置３８を介してメモリ３６のＶＦＲ領域６０に書き込まれる（Ｓ１）。
【００２１】
ＬＣＤ制御装置２２は、メモリ３６のＶＦＲ領域６０のフレーム映像データを読み出し、このフレーム映像データに従いＬＣＤ２４を駆動する。これにより、被写体の映像が、ＬＣＤ２４の画面上に表示される。記録中の映像を表示する場合には、以下の記録動作中、ＬＣＤ制御装置２２は、メモリ３６のＶＦＲ領域６０のフレーム映像データを読み出し、このフレーム映像データに従いＬＣＤ２４を駆動する。
【００２２】
ユーザが操作部４２により記録の開始を指示すると、ＣＰＵ３０は、符号化処理装置１６及びディスクアクセス装置１８に記録動作の開始を指示する。この指示に応じて、符号化処理装置１６は、メモリ制御装置３８を介してＶＦＲ領域６０の映像データを読み出し（Ｓ２）、ＭＰＥＧ２方式で圧縮符号化してストリームデータを生成する。生成されたストリームデータは、メモリ制御装置３８を介してメモリ３６のストリーム領域６２に書き込まれる（Ｓ３）。
【００２３】
ディスクアクセス装置１８は、メモリ制御装置３８を介してストリーム領域６２のストリームデータを読み出し（Ｓ４）、誤り訂正符号化して、ＥＣＣ符号（誤り訂正用パリティ）付きのストリームデータを生成する。生成されたＥＣＣ符号付きストリームデータはメモリ制御装置３８を介してメモリ３６のＥＣＣ領域６４に書き込まれる（Ｓ５）。この後、ディスクアクセス装置１８は、ＥＣＣ領域６４のＥＣＣ符号付きストリームデータを読み出し（Ｓ６）、記録媒体２０に記録する（Ｓ７）。
【００２４】
図３を参照して、再生モードの基本動作を説明する。図３は、再生モードにおけるメモリ３６のメモリマップとデータの流れを示す。メモリ３６のメモリマップは、記録モードのときと同じで良い。
【００２５】
ユーザが操作部４２により再生の開始を指示すると、ＣＰＵ３０は、復号化処理装置２６及びディスクアクセス装置１８に再生動作の開始を指示する。この指示に従い、ディスクアクセス装置１８は、記録媒体２０から指定された映像情報のＥＣＣ符号付きストリームデータを読み出す（Ｓ１１）。記録媒体２０から読み出されたデータは、メモリ制御装置３８を介してＥＣＣ領域６４に書き込まれる（Ｓ１２）。ディスクアクセス装置１８は、次に、ＥＣＣ領域６４からＥＣＣ符号付きストリームデータを読み出し（Ｓ１３）、ＥＣＣ符号を使ってストリームデータのエラーを訂正する。エラーを訂正されたストリームデータは、メモリ制御装置３８を介してメモリ３６のストリーム領域６２に書き込まれる（Ｓ１４）。
【００２６】
復号化処理装置２６は、ストリーム領域６２のストリームデータを読み出し（Ｓ１５）、復号化する。これにより、映像データが再生される。再生された映像データは、メモリ制御装置３８を介してメモリ３６のＶＦＲ領域６０に書き込まれる（Ｓ１６）。
【００２７】
ＶＦＲ領域６０の映像データは、ラスター順にＬＣＤ制御装置及び／又は映像出力端子２８に読み出される（Ｓ１７）。ＬＣＤ制御装置２２は、ＶＦＲ領域６０からのフレーム映像データに従いＬＣＤ２４を駆動する。これにより、被写体の映像が、ＬＣＤ２４の画面上に表示され、また、映像出力端子２８から映像データが外部に出力される。
【００２８】
図４を参照して、外部接続モードの動作を説明する。図４は、外部接続モードにおけるメモリ３６のメモリマップとデータの流れを示す。メモリ制御装置３８は、記録モード及び再生モードでストリーム領域６２とした領域を、外部機器との間でやりとりするデータを一時格納する転送データ領域６６とする。勿論、転送データ領域６６は、ストリーム領域６２より狭くても良いし、広くても良い。ＶＦＲ領域６０を転送データ領域６６に含めても良い。
【００２９】
ユーザが操作部４２により外部機器（図示例ではコンピュータ５０）へのデータ出力の開始を指示すると、ＣＰＵ３０は、ディスクアクセス装置１８に指定動画像の読み出しを指示する。この指示に従い、ディスクアクセス装置１８は、記録媒体２０から指定された映像情報のＥＣＣ符号付きストリームデータを読み出す（Ｓ２１）。記録媒体２０から読み出されたデータは、メモリ制御装置３８を介してＥＣＣ領域６４に書き込まれる（Ｓ２２）。ディスクアクセス装置１８は、次に、ＥＣＣ領域６４からＥＣＣ符号付きストリームデータを読み出し（Ｓ２３）、ＥＣＣ符号を使ってストリームデータのエラーを訂正する。エラーを訂正されたストリームデータは、メモリ制御装置３８を介してメモリ３６の転送データ領域６６に書き込まれる（Ｓ２４）。
【００３０】
転送データ領域６６のストリームデータは、逐次、外部接続ＩＦ４０に読み出され（Ｓ２５）、外部接続ＩＦ４０からコンピュータ５０に転送される。
【００３１】
記録媒体２０は、例えば、ＵＤＦファイルシステムを採用する光ディスクであり、ここでは、ＤＶＤ−ＲＷのような書き替え可能光ディスクであるとする。図５は、記録媒体２０のファイルシステムＵＤＦの模式的な構成図を示す。ＵＤＦは、ＤＶＤビデオ、ＤＶＤ−Ｒ及びＤＶＤ−ＲＷ等で多くのディスク媒体で採用されている。
【００３２】
最内周に、記録管理データ（ＲＭＤ：Recording Management Data）７０が配置される。ＲＭＤ７０は、記録媒体２０のどこまでが記録済みの領域か、即ち次の書き込み開始位置を示す。ＲＭＤ７０に続けてＵＤＦ領域７２が配置される。ＵＤＦ領域７２には、ファイル管理情報、即ち、記録媒体２０に記録される各ファイルの属性（ファイル名、日付、サイズ等）と記録媒体２０上での記録位置を示す情報が格納される。本実施例では、ＵＤＦ領域７２のサイズは、０ｘ２ＦＦ０個のセクタ（１セクタは２ＫＢｙｔｅ）からなるとする。まＵＤＦ領域７２の外側に、動画像データ７４が配置されている。動画像データ７４は、ＥＣＣ符号付きのストリームデータとその付加データからなる。
【００３３】
外部機器としてのコンピュータ５０は、ＵＳＢマスストレージのＡＴＡＰＩのプロトコルに従い、記録媒体２０にアクセスできる。図６は、動画像データ７４を読み出す際の手順を示す。図７は、ＵＤＦ領域７２にアクセスする際の手順を示す。
【００３４】
コンピュータ５０は、ＡＴＡＰＩプロトコルに従い、読み出し要求コマンドをビデオカメラ１０に送信する。読み出しコマンドは、データの格納されたアドレスとデータのサイズの情報を含む。コマンドを受信したビデオカメラ１０は、要求されたアドレスから要求サイズのデータを記録媒体２０から読み出し、コンピュータ５０に送信する。コンピュータ５０は、受信完了を示すＡＣＫコマンドをビデオカメラ１０に送信する。これらの、要求コマンド、データ転送及びＡＣＫコマンドが、１セットになっている。
【００３５】
ＵＳＢマスストレージＡＴＡＰＩでは、読み出し単位が、動画像データ７４に対して６４ｋｂｙｔｅであるのに対し、ＵＤＦ領域７２に対して２ｋＢｙｔｅであるのが異なる。
【００３６】
外部接続モードでのビデオカメラ１０の動作を説明する。図８は、外部接続モードに切り替わった時の、ビデオカメラ１０の動作フローチャートを示す。外部接続モードに切り替わると、先ず、記録媒体２０が装填されているか否かを調べる（Ｓ４１）。記録媒体２０が挿入されていなければ（Ｓ４１）、記録媒体２０の挿入待ちとなる。
【００３７】
記録媒体２０が挿入されている場合（Ｓ４１）、ＣＰＵ３０は記録媒体２０にアクセスできるように記録媒体２０をマウントする（Ｓ４２）。次に、ＣＰＵ３０はメモリ制御装置３８を制御して、記録媒体２０のＵＤＦ領域７２を全て読み出し、メモリ３６の転送データ領域６６に格納する。本実施例では、ＵＤＦ領域７２は、論理アドレス（ＬＢＡ：Ｌｏｇｉｃａｌ  Ｂｌｏｃｋ  Ａｄｄｒｅｓｓ）の０〜０ｘ２ＦＦ０に存在する。この論理アドレス０〜０ｘ２ＦＦ０の全データが、予めメモリ３６の転送データ領域６６に格納されることになる。
【００３８】
図９は、コンピュータ５０から記録媒体２０の読み出し要求コマンドが入力したときの、ビデオカメラ１０の動作フローチャートを示す。
【００３９】
コンピュータ５０からの読み出し要求コマンドに対し、要求されたアドレスがＵＤＦ領域である論理アドレス０〜０ｘ２ＦＦ０の範囲かどうかを判定する（Ｓ５１）。ＵＤＦ領域を対象とする場合には（Ｓ５１）、メモリ３６に先読み済みであるので、ＣＰＵ３０は、該当するデータをメモリ３６から読み出し、外部接続ＩＦ４０を介してコンピュータ５０に送信する（Ｓ５２）。ＵＤＦ領域外を対象とする場合には（Ｓ５１）、ＣＰＵ３０は、ディスクアクセス装置１８にこのコマンドを転送し、記録媒体２０の該当するアドレスからデータを読み出させる（Ｓ５３）。記録媒体２０から読み出されたデータは、図４を参照して説明したように、メモリ３６の転送データ領域６６及び外部接続ＩＦ４０を介して、コンピュータ５０に転送される。
【００４０】
ＵＤＦ領域７２のデータがマウント時に予めメモリ３６に先読みされているので、ＵＤＦ領域のデータ要求に対して、記録媒体２０へのアクセス無しに、要求されたデータをコンピュータ５０に送信できる。即ち、記録媒体２０の読出し要求からデータ取得までに要する時間を節約できる。データ量が多くなればなるほど、この差は大きくなり、見掛け上、コンピュータ５０に対する応答速度を高めることができる。
【００４１】
このように、本実施例では、記録モード及び再生モードで画像の圧縮符号化・復号化に使用するメモリ領域を、外部接続モードでは転送データの一時格納バッファとして使用する。動画像の圧縮符号化復号化に使用するメモリ領域のデータ容量は、データ転送のバッファとしては、非常に大きい。従って、記録媒体２０から多くの記録データを転送データ領域６６に先読みすることが可能になる。
【００４２】
ＵＤＦ領域７２のデータをマウント時にメモリ３６に先読みするとしたが、転送データ領域６６に空きがある場合、動画像データ７４の一部を先読みしてもよい。例えば、直前に記録した動画、又は、最初に記録された動画は、全体のインデックス画像等は、記録媒体２０の記録内容を概観又は一覧する目的で、最初に再生表示することが多い。このように接続して最初に表示すべきデータも、メモリ３６に先読みしておくことで、応答速度がより速くなり、快適な操作感を得られる。
【実施例２】
【００４３】
本発明の第２実施例を説明する。第１実施例では、ユーザの外部接続モードへの切替え、又は、その後の記録媒体２０のマウントに応じて、記録媒体２０のＵＤＦ領域のデータがメモリ３６の転送データ領域６６に先読みされた。これに対し、本実施例では、外部接続ＩＦ４０へのコンピュータ５０の接続を検知して、記録媒体２０のＵＤＦ領域のデータをメモリ３６の転送データ領域６６に先読みする。図１１は、その動作フローチャートを示す。
【００４４】
図１０は、外部接続ＩＦ４０がＵＳＢ規格の場合に、ＵＳＢケーブルでコンピュータ５０を接続した構成を示す。ＵＳＢケーブルは、周知の通り、ＧＮＤ、Ｄ＋、Ｄ−及びＶｂｕｓの４本の信号線からなる。Ｖｂｕｓ線は、ホストであるコンピュータ５０がＵＳＢ接続を検出した場合に、５Ｖにプルアップされる信号線である。外部接続ＩＦ４０は、Ｖｂｕｓ線が５Ｖにプルアップされたことを検出することにより、コンピュータ５０の接続を認識でき、その旨をＣＰＵ３０に通知する。
【００４５】
ＣＰＵ３０は、外部接続ＩＦ４０からの接続通知に対し（Ｓ６１）、ディスクアクセス装置１８に指示して、記録媒体２０のＵＤＦ領域を読み出してメモリ３６の転送データ領域６６に格納させる。
【００４６】
その後の、コンピュータ５０からのＵＤＦ領域のデータの要求、及び動画像データの要求に対するビデオカメラ１０での動作は、第１実施例の場合と同じであるので、説明を省略する。
【００４７】
実際にコンピュータ５０が記録媒体２０へのアクセスを要求する前に、ＵＤＦ領域のデータをメモリ３６に先読みしておくので、コンピュータが、読み出しコマンドを発行してからデータを取得するまでの時間が短縮され、見掛け上、応答速度が速くなる。
【００４８】
以上の各実施例では、記録媒体２０のファイルシステム管理情報としてＵＤＦ領域のデータを示したが、これにＲＤＭを加えても良いことは勿論である。記録媒体２０がＵＤＦ以外のファイルシステムを採用する場合、ＵＤＦ領域に相当するファイルシステム管理情報、例えばＴＯＣ（Table Of Contents）をメモリ３６に先読みすればよい。
【００４９】
外部接続インターフェースとしてＵＳＢを例示したが、その他のデジタルインターフェース、例えばＩＥＥＥ１３９４を使っても良い。
【図面の簡単な説明】
【００５０】
【図１】本発明の第１実施例の概略構成ブロック図である。
【図２】記録モードでのメモリマップとデータの流れを示す模式図である。
【図３】再生モードでのメモリマップとデータの流れを示す模式図である。
【図４】外部接続モードでのメモリマップとデータの流れを示す模式図である。
【図５】記録媒体２０のフォーマット例である。
【図６】ＵＳＢ  マスストレージＡＴＡＰＩのプロトコルによる動画像データ読み出しの手順例である。
【図７】ＵＳＢ  マスストレージＡＴＡＰＩのプロトコルによるファイルシステム管理情報の読み出しの手順例である。
【図８】外部接続モードの動作フローチャートである。
【図９】コンピュータ５０からの読出し要求に対するビデオカメラ１０の動作フローチャートである。
【図１０】ＵＳＢ接続とＵＳＢケーブルの説明図である。
【図１１】ＵＳＢ接続検出に応じて記録媒体２０のＵＤＦ領域を先読みする動作のフローチャートである。
【符号の説明】
【００５１】
１０  ：ビデオカメラ
１２：撮像部
１４：カメラ信号処理装置
１６：符号化処理装置
１８：ディスクアクセス装置
２０：記録媒体
２２：ＬＣＤ制御装置
２４：液晶表示装置（ＬＣＤ）
２６：復号化処理装置
２８：映像出力端子
３０：ＣＰＵ
３２：ＲＯＭ
３４：ＲＡＭ
３６：メモリ
３８：メモリ制御装置
４０：外部接続インターフェース（ＩＦ）
４２：操作部
４４：バス
５０：コンピュータ
【図１】
0005063382.tif 000002
【図２】
0005063382.tif 000003
【図３】
0005063382.tif 000004
【図４】
0005063382.tif 000005
【図５】
0005063382.tif 000006
【図６】
0005063382.tif 000007
【図７】
0005063382.tif 000008
【図８】
0005063382.tif 000009
【図９】
0005063382.tif 000010
【図１０】
0005063382.tif 000011
【図１１】
0005063382.tif 000012